(57)【要約】【課題】搬送中に土がこぼれるおそれがなく、保水・排水能を調整できるマット付植栽プレートおよびそれを用いた植栽方法を提供する。【解決手段】マット付植栽プレート１は、植栽プレート２およびマット６から構成される。植栽プレート２は、床面部３、壁部４および踏圧面５から構成される。床面部３は、開口部３ａを有する。壁部４は、床面部３から上方に立設しており、ハニカム壁部４ａ、外壁部４ｂおよび柱部４ｃから構成される。踏圧面５は、柱部４ｃの上部に設けられた面であり、略同じ高さに形成されている。マット６は、壁部４の反対側となる床面部３に取り付けられている。マット６の材料、厚さ等は、保水・排水能に影響を与えるため、植物の種類、敷設場所の状態（気候、敷設面の種類）等を考慮し、所望の通水性（保水・排水能）を有するマット６を選択し、取り付ける。【選択図】      図１
2004248605.tif 000002
【特許請求の範囲】
【請求項１】
開口部が形成された底面部と、
複数の連続する区画を形成するように、前記底面部の一方の面に立設された壁部と、
を備えた植栽プレートと、
前記底面部に前記開口部を塞ぐように取り付けられた、少なくとも通水性を有するマットと、
を有することを特徴とするマット付植栽プレート。
【請求項２】
前記マットは、不織布であり、敷設面側の目が細かくなっていることを特徴とする請求項１に記載のマット付植栽プレート。
【請求項３】
請求項１または請求項２に記載のマット付植栽プレートを用いた植栽方法であって、
前記マット付植栽プレート内に植物を育成する育成ステップと、
前記植物を育成した後、前記マット付植栽プレートを敷設場所まで搬送する搬送ステップと、
搬送された前記マット付植栽プレートを前記敷設場所に敷設する敷設ステップと、
を含むことを特徴とする植栽方法。
【発明の詳細な説明】
【０００１】
【発明の属する技術分野】
本発明は、駐車場、建物の屋上や屋根、道路脇や河川の斜面等の植栽に用いられる植栽プレートおよびそれを用いた植栽方法に関する。
【０００２】
【従来の技術】
駐車場や歩道等、踏圧がかかる場所に植栽を行うための器具として、踏圧保護プレートが使用されている（例えば、特許文献１参照。）。以下、特許文献１に記載された植物栽培用容器及び緑地化形成方法について説明する。
【０００３】
図３は、特許文献１に記載の植物栽培用容器を示す図であり、（ａ）は斜視図、（ｂ）は部分透視図、（ｃ）は平面図である。植物栽培用容器５１は、合成樹脂製であり、底部５２、壁部５３および突起５４（図４参照）から構成される。底部５２は、水はけ用の開口部５２ａを有する。壁部５３は、底部５２から立設し、ハニカム状に形成される。突起５４は、壁部５３の反対側に形成され、敷設面に突き刺さることにより、全体を固定するはたらきをする。
植物栽培用容器５１内には、土５５および芝生５６が敷き詰められる（図４参照）。植物栽培用容器５１の上を歩行者や自動車が通る際には、壁部５３の上面（踏圧面）が踏圧を受け、土５５および芝生５６にかかる踏圧を軽減する。したがって、芝生５６（および根）は踏圧による損傷を受けにくくなっている。
【０００４】
続いて、植物栽培用容器５１を使用した緑地化形成方法について説明する。緑地化形成方法は、芝生育成ステップ、搬送ステップおよび敷設ステップからなる。以下、各ステップにおける動作について説明する。
（芝生育成ステップ）
植物栽培用容器５１に土５５を入れ、芝生５６を育成する。
（搬送ステップ）
芝生５６の育成が終了した後、植物栽培用容器５１を敷設場所（駐車場・歩道）まで搬送する。
（敷設ステップ）
図４に示すように、突起５４を敷設面に突き刺すことにより、植物栽培用容器５１を敷設場所に敷設する。
【０００５】
しかし、特許文献１に記載の植物栽培用容器及び緑地化形成方法には、以下に示す問題があった。
（１）  開口部５２ａにおける土５５の保持力は、土５５の粘性や芝生５６の根による保持力に依存しており、これらが十分でない場合には、搬送ステップにおいて開口部５２ａから土５５がこぼれるおそれがある。そのため、芝生以外の、根の力が弱い地被植物による植栽に不適である。
（２）  植物栽培用容器５１の保水・排水能が主に開口部５２ａの形状（大きさ、形、数等）によって決定されるため、地被植物の種類や敷設場所の状態にあわせて保水・排水能を調整することができない。また、開口部５２ａの形状の異なる植物栽培用容器５１を用意するには、複数の金型が必要となり、手間やコストがかかる。
（３）  敷設面が土の場合には、開口部５２ａを通じて雑草が生えるおそれがある。
【０００６】
【特許文献１】
特開２０００−６０３１９号公報（［０００９］〜［００２０］、第１図、第８図）
【０００７】
【発明が解決しようとする課題】
そこで、本発明は、搬送中に土がこぼれるおそれがなく、保水・排水能を調整でき、敷設面から開口部を通じて雑草が生えるおそれがないマット付植栽プレートおよびそれを用いた植栽方法を提供することを課題とする。
【０００８】
【課題を解決するための手段】
前記課題を解決するために、請求項１に記載のマット付植栽プレートは、開口部が形成された底面部と、複数の連続する区画を形成するように、前記底面部の一方の面に立設された壁部と、を備えた植栽プレートと、前記底面部に前記開口部を塞ぐように取り付けられた、少なくとも通水性を有するマットと、を有する構成とした。
【０００９】
マットは、合成繊維製の不織布等であり、以下に示す機能を有する。
（１）  所望の通水性を有するマットを、開口部を塞ぐように取り付けることにより、マット付植栽プレートの通水性（保水・排水能）を好適に設定することができる。
（２）  開口部を塞ぐようにマットを取り付けているので、開口部ではマットにより土を保持することができる。そのため、土を敷き詰めた状態で搬送しても開口部から土がこぼれるおそれがない。また、芝生以外の、根の力が弱い地被植物（セダム属等）による植栽に好適に使用できる。
（３）敷設面が土の場合には、敷設面から生えてくる雑草の繁殖を、マットにより抑えることができる。
【００１０】
壁部により形成される区画は、平面視で格子状、ハニカム（ｈｏｎｅｙｃｏｍｂ）状、円環状等であり、壁部により区切られた略同一形状の区画が複数並んでいる。その中に土を敷き詰め、植物を育成可能な構成となっている。
【００１１】
また、請求項２に記載のマット付植栽プレートは、請求項１に記載のマット付植栽プレートであって、前記マットは、不織布であり、敷設面側の目が細かくなっている構成とした。
【００１２】
雑草の繁殖力が強い場合には、マットを突き破り、開口部を通って、マット付植栽プレートの上に生えてくるおそれがある。請求項２に記載のマット付植栽プレートは、マットの下面（敷設面側）の目が、その上側の目よりも細かくなっている。そのため、雑草がマットを突き破るにはより強い力が必要となり、より効果的に雑草の繁殖を抑えることができる。なお、ここでいう「目（目合い、目開き、ともいう。）」とは、不織布の繊維により形成される隙間のことを指す。
【００１３】
また、請求項３に記載の植栽方法は、請求項１または請求項２に記載のマット付植栽プレートを用いた植栽方法であって、前記マット付植栽プレート内に植物を育成する育成ステップと、前記植物を育成した後、前記マット付植栽プレートを敷設場所まで搬送する搬送ステップと、搬送された前記マット付植栽プレートを前記敷設場所に敷設する敷設ステップと、を含む構成とした。
【００１４】
育成ステップでは、マット付植栽プレート内に植物を育成する。その際、プレート内に土を敷き詰めるが、その高さは壁部を超えないことが望ましい。こうすることで、斜面に敷設した場合には、壁部により土および植物が斜面方向に崩れることを防止できる。また、育成ステップは、植物の育成に好適な環境下（温室等）で行われるので、敷設場所に敷設した後に育成する場合と比較して、育成が容易である。したがって、育成に手間がかかる地被植物（セダム属等）を育成するのに好適である。
【００１５】
搬送ステップでは植物を育成されたマット付植栽プレートを敷設場所に搬送する。その際、開口部においてマットが土を保持するので、開口部から土がこぼれるおそれがない。したがって、土を保持する力の弱い地被植物（セダム属等）に好適である。
【００１６】
敷設ステップでは、駐車場や歩道だけでなく、建物の屋上や屋根、道路脇・土手の斜面等に敷設することができる。その理由を以下に示す。
（１）  所望の通水性を有するマットを取り付けたマット付植栽プレートを選択することにより、マット付植栽プレートの保水・排水能を調整できるので、さまざまな敷設面（土、コンクリート等）に対応できる。
（２）  土を保持する力の弱い地被植物（セダム属等）であっても、壁面が土を保持するので、土や地被植物が斜面から崩れ落ちるおそれがない。したがって、斜面の植栽にも好適に使用することができる。
【００１７】
【発明の実施の形態】
次に、本発明の実施の形態について適宜図面を参照しながら説明する。植栽プレートとして、従来駐車場等に芝生を植栽するために用いられている踏圧保護プレートを使用する。同様の部分については同一符号を付し、重複する説明を省略する。なお、以下の説明における位置や方向をあらわす表現（上下等）は、マット付植栽プレートを敷設した状態を基準とする。
【００１８】
図１は、本発明の実施形態に係るマット付植栽プレート１を示す図であり、（ａ）は斜視図、（ｂ）は部分透視図、（ｃ）は平面図である。マット付植栽プレート１は、植栽プレート（踏圧保護プレート）２およびマット６から構成される。
【００１９】
植栽プレート２は、床面部３、壁部４および踏圧面５から構成される。踏圧保護プレート２は、合成樹脂を射出成型あるいは押出成型により成型したものであり、例えば特開平１１−２２１８２８号公報に記載の「成型品の連続製造方法とその製造装置」等により製造される。また、植栽プレート２は可撓性を有し、敷設面の傾斜等に対応可能である。
【００２０】
床面部３は、その上下方向に貫通した開口部３ａを有する。開口部３ａは、壁部４に囲まれた部分（後述する区画）にそれぞれ形成された円形の穴であり、植栽プレート２内に溜まった雨水等を外（下方）へ排水するためのものである。
【００２１】
壁部４は、床面部３から上方に立設しており、ハニカム壁部４ａ、外壁部４ｂおよび柱部４ｃから構成される。
ハニカム壁部４ａは、連続する複数の六角形状の区画の辺に相当し、切欠部４ｄを有する。切欠部４ｄはハニカム壁部４ａの上側に設けられており、植物の根のルーピングを防止するためのものである。
外壁部４ｂは、床面部３の外周部を取り囲むように立設している。これは、予め植物を育成してから複数のマット付植栽プレート１を並べて敷設する際に、植物が育成されていない区画ができるのを防ぐためである。
柱部４ｃは、ハニカム壁部４ａの結合部分に形成された柱である。柱部４ｃは、踏圧を受けるのに十分な強度を有し、その上面に踏圧面５が形成されている。
【００２２】
上述した床面部３および壁部４によって囲まれた空間が、請求項における「区画」であり、本実施形態では、主に略六角柱状である。この区画内に土を敷き詰め、植物を育成することが可能な構成となっている。
【００２３】
踏圧面５は、柱部４ｃの上部に設けられた面であり、略同じ高さに形成されている。その上を人・動物・車両等が通る際には、この踏圧面５上を通ることになる。したがって、踏圧面５が踏圧を受け、マット付植栽プレート１内のもの（植物およびその根）は踏圧から保護される。
【００２４】
マット６は、壁部４の反対側となる床面部３に、開口部３ａを塞ぐように取り付けられている。取付強度は、植物を育成した状態で、開口部３ａにおいてマット６が土の荷重を受けることが可能であればよく、例えば接着剤により行われる。マット６の材料、厚さ等は、保水・排水能に影響を与えるため、植物の種類、敷設場所の状態（気候、敷設面の種類）等を考慮し、所望の通水性（保水・排水能）を有するマット６を選択し、取り付ける。マット６としては、例えば目付量１６０〜２５０ｇ／ｍ２の合成繊維製（ポリエステル・ポリエチレン等）の不織布が好適に使用できる。
【００２５】
また、マット６の下面（敷設面側）の繊維の目を、上側の目よりも細かくする構成であってもよい。このような構成により、敷設面が土の場合には、敷設面からの生えてくる雑草は、マット６の目を破るのにより強い力が必要となり、通過しにくくなる。したがって、より効果的に雑草の繁殖を抑えることができる。
【００２６】
このように、マット６の下面の目を細かくする方法としては、カレンダーロール機でマット６の一面を熱処理して目をつぶして細かくし、その面を下面となるよう植栽プレート２の床面部３に取り付ける方法がある。また、マット６の下面に、さらに目の細かい不織布（スパンボンド等）を取り付ける方法がある。また、これら以外の方法であってもよい。
【００２７】
マット６を床面部３に接着する接着剤として、天然接着剤または合成接着剤が好適に使用できる。天然接着剤としては、にかわ、ガゼイン、アラビアゴム、天然ゴム、澱粉糊等の天然素材によるものが挙げられる。また、合成接着剤としては、熱硬化性樹脂（フェノール樹脂、尿素樹脂、メラミン樹脂、ウレタン樹脂、エポキシ樹脂、シリコン樹脂等）、熱可塑性樹脂（酢酸ビニル樹脂、ポリビニルアルコール、塩化ビニル樹脂、ポリビニルブチラール等）、合成ゴム（アクリロニトリル―ブタジエンゴム、ネオプレンゴム等）等を主成分とするものが挙げられる。
【００２８】
続いて、マット付植栽プレート１を用いた植栽方法について説明する。植栽方法は、取付ステップ、育成ステップ、搬送ステップおよび敷設ステップからなる。以下、各ステップにおける動作について説明する。
【００２９】
（取付ステップ）
植栽プレート２の裏面（床面部３の敷設面側）に所望の通水性を有するマット６を、接着剤を用いて接着することにより取り付け、マット付植栽プレート１を形成する。
【００３０】
（育成ステップ）
マット付植栽プレート１の各区画に土７を敷き詰め、植物８を育成する。土７の高さは、切欠部４ｄにかかり、かつ踏圧面５を越えないようにする。
【００３１】
土７には、肥料や土壌改良剤（保水剤を含む）を混入してもよい。肥料としては、難水溶性肥料を一種あるいは複数使用してもよい。また土壌改良剤としては、ピートモス、パーライト、バーミキュライト、珪藻土、バーク、ゼオライト、ヤシ殻、クリプトモス、軽石類（蝦夷砂等）または炭化物（木炭、竹炭、もみがら炭等）を一種あるいは複数使用してもよい。
【００３２】
（搬送ステップ）
植物８の育成が十分行われた後、マット付植栽プレート１を敷設場所まで搬送する。
【００３３】
（敷設ステップ）
複数のマット付植栽プレート１を並べるように敷設する。隣接するマット付植栽プレート１同士は連結具９（図２参照）により互いに連結し、ずれを防止する。
なお、敷設の前処理として、敷設面を敷設可能な状態とする必要がある。例えば、敷設面が土である場合には、表面をならす作業や、雑草を刈る作業を行うことが望ましい。
【００３４】
以下、各敷設場所に対応した敷設方法の例について説明する。
【００３５】
（駐車場）
図２（ａ）に示すように、隣接するマット付植栽プレート１同士を、連結具９によりずれないように連結する。また、開口部３ａを通してアンカー１０を打ち込み、敷設面に固定する。敷設面が土の場合には、敷設面の土と植栽プレート２内の土７との間にマット６が介在することになり、敷設面から生えてくる雑草をマット６により防ぐことができる。
【００３６】
（建物の屋上）
図２（ｂ）に示すように、隣接するマット付植栽プレート１同士を、連結具９によりずれないように連結する。マット６としては、雨水等を保水するため、通水性の小さい（保水性が高い）ものを使用するのが好ましい。アンカーによる固定は行わなくてもよい。
【００３７】
（道路脇・河川の斜面）
図２（ｃ）に示すように、予め位置決めを行い、アンカー母材１０ａを敷設面に打ち込む。その後、マット付植栽プレート１を敷設し、アンカー１０をアンカー母材１０ａに嵌め込むように打ち込むことにより、斜面に固定する。また、隣接するプレート同士を、連結具９によりずれないように連結する。傾斜に対する土７の保持は、壁面４により行われるので、土７や植物８が崩れ落ちるおそれがない。
【００３８】
（建物の屋根）
図２（ｄ）に示すように、マット付植栽プレート１を建物（例えば工場）の屋根のボルト２０を利用して固定する。また、隣接するマット付植栽プレート１同士を、連結具９によりずれないように連結する。マット６としては、雨水等を保水するため、通水性が小さい（保水性が高い）ものを使用するのが好ましい。
【００３９】
それ以外にも以下に示す場所に敷設することができる。
工場の敷地、イベント会場、スキー場のゲレンデ、ゴルフ場、サッカー場、フィールドアスレチック場、各種スポーツ施設、各種モニュメント、山の法面、河川敷、土手、海浜地域、造成地、農場、牧場、公園、田畑の周辺、一般家屋の庭等。
【００４０】
植物８としては、芝生だけでなく、以下に示す地被植物やこれらの組み合わせが好適に使用できる。
セダム属、ヘデラ属、マツバギク、ゼラニウム、シバザクラ、オキザリス、ヒメツルニチニチソウ等。
また、セダム属としては、以下に示す種類が挙げられる。
ミヤママンネングサ、メキシコマンネングサ、ツルマンネングサ、キリンソウ、ホソバノキリンソウ、エゾノキリンソウ、ヒメキリンソウ、タカネマンネングサ、ヤハズマンネングサ、ヒメレンゲ、マルバマンネングサ、サツママンネングサ、ハママンネングサ、ナガサキマンネングサ、コモチマンネングサ、メノマンネングサ、タイトゴメ、ムニンタイトゴメ、コゴメマンネングサ、ウンゼンマンネングサ、オオメノマンネングサ、マツノハマンネングサ、オノマンネングサ、ハコベマンネングサ、ウスユキマンネングサ等。
【００４１】
上述した芝生以外の地被植物は、十分生長した後には、雑草の繁殖を抑えることができる。しかし、生長するまでには、世話する手間や、期間がかかる。そのため、敷設してから育成するよりは、育成してから敷設する方が好ましい。したがって、本実施形態による植栽方法により好適な植栽が可能となる。
【００４２】
ここで、本実施形態の効果をステップごとに示す。
（１）  取付ステップにおいて、所望の通水性を有するマット６を取り付けることにより、好適な保水・排水能を有するマット付植栽プレート１を得ることができる。
（２）  育成ステップにおいて、工場等で植物を育成するので、敷設場所で育成する場合と比較して、より好適な環境で育成できる。したがって、育成に手間がかかる地被植物（セダム属等）を用いた植栽に好適である。
（３）  搬送ステップにおいて、開口部３ａではマット６が土７を保持するので、搬送ステップ中に土７がこぼれるおそれがない。したがって、芝生だけでなく、根の力の弱い地被植物（セダム属等）を用いた植栽に好適である。
（４）  敷設ステップにおいて、すでに植物を育成済みであるので、敷設場所における作業（植物の手入れ等）が簡略化される。また、植栽プレート２として、踏圧保護プレートを使用しているので、植物および根を踏圧から保護しつつ、外観上、踏圧面の占める比率が小さいので植栽の景観の邪魔となることはない。また、斜面に敷設した場合においても、土７や植物８が崩れ落ちるおそれがない。また、敷設面が土の場合には、マット６により、敷設面から生えてくる雑草の繁殖を抑えることができる。この場合には、マット６の下面の目を細かくすることにより、より効果的に雑草の繁殖を抑えることができる。
（５）  従来は駐車場や歩道に芝生を植栽するために用いられていた踏圧保護プレートを、マット６を取り付けることで、芝生以外の地被植物をさまざまな場所に植栽するために使用できるようになる。
【００４３】
本実施形態は、その要旨を逸脱しない範囲で適宜変更可能である。例えば、植栽プレート２の壁部や開口部の形状は、これに限定されない。また、マット６を通水性が大きいものとし、土７を保持する機能のみを持たせ、敷設ステップにおいてさらに異なるマットをマット付植栽プレート１の下に敷くことにより保水・排水能を調整する構成も可能である。
【００４４】
【発明の効果】
本発明の請求項１に記載の発明によれば、搬送時に土がこぼれるおそれがなく、保水・排水能を調整でき、敷設面から開口部を通じて雑草が生えるおそれがないマット付植栽プレートを提供することができる。
【００４５】
また、本発明の請求項２に記載の発明によれば、敷設面からの雑草の繁殖をより効果的に抑えることのできるマット付植栽プレートを提供することができる。
【００４６】
また、本発明の請求項３に記載の発明によれば、所望の通水性を有するマットを取り付けられたマット付植栽プレートを使用することにより、好適な保水・排水能を得ることができ、植物の育成を好適に行うことができ、さまざまな敷設場所に好適に敷設できるマット付植栽プレートを用いた植栽方法を提供することができる。
【図面の簡単な説明】
【図１】本発明の実施形態に係るマット付植栽プレートを示す図であり、（ａ）は斜視図、（ｂ）は部分透視図、（ｃ）は平面図である。
【図２】本発明の実施形態に係るマット付植栽プレートを用いた植栽方法を示す概略縦断面図であり、（ａ）は駐車場に敷設した図、（ｂ）は建物の屋上に敷設した図、（ｃ）道路脇の斜面に敷設した図、（ｄ）は建物の屋根に敷設した図である。
【図３】特許文献１に記載の植物栽培用容器を示す図であり、（ａ）は斜視図、（ｂ）は部分透視図、（ｃ）は平面図である。
【図４】特許文献１に記載の植物栽培用容器の敷設方法を示す概略縦断面図である。
【符号の説明】
１      マット付植栽プレート
２      植栽プレート（踏圧保護プレート）
３      床面部
３ａ    開口部
４      壁部
４ａ    ハニカム壁部
４ｂ    外壁部
４ｃ    柱部
４ｄ    切欠部
５      踏圧面
６      マット
７      土
８      植物
【図１】
2004248605.tif 000003
【図２】
2004248605.tif 000004
【図３】
2004248605.tif 000005
【図４】
2004248605.tif 000006